(57)【要約】有価媒体処理装置（１０）は、有価媒体を収納する収納部と、収納部に収納している有価媒体を計数する精査処理を行う制御部（６００）と、を備える。制御部は、収納部から繰り出された有価媒体を搬送部に第一速度で搬送させかつ、有価媒体を計数する第一の精査処理と、収納部から繰り出された有価媒体を搬送部に第一速度よりも遅い第二速度で搬送させかつ、有価媒体を計数する第二の精査処理と、を行う。
2020085156.tif 000002
【特許請求の範囲】
【請求項１】
有価媒体を収納する収納部と、
前記収納部から繰り出された有価媒体を搬送する搬送部と、
前記収納部に収納している有価媒体を計数する精査処理を行う制御部と、を備え、
前記制御部は、
前記収納部から繰り出された前記有価媒体を前記搬送部に第一速度で搬送させかつ、前記有価媒体を計数する第一の精査処理と、
前記収納部から繰り出された前記有価媒体を前記搬送部に前記第一速度よりも遅い第二速度で搬送させかつ、前記有価媒体を計数する第二の精査処理と、を行う有価媒体処理装置。
【請求項２】
前記制御部は、前記第一の精査処理、又は、前記第二の精査処理を、選択的に、実行する請求項１に記載の有価媒体処理装置。
【請求項３】
操作者の操作に応じた信号を出力する操作部を備え、
前記制御部は、前記操作部が出力した信号に基づいて、前記第一の精査処理、又は、前記第二の精査処理を、選択的に実行する請求項２に記載の有価媒体処理装置。
【請求項４】
他の装置からの指示を受信する通信部を備え、
前記制御部は、前記通信部が受信した指示に基づいて、前記第一の精査処理、又は、前記第二の精査処理を、選択的に実行する請求項２に記載の有価媒体処理装置。
【請求項５】
前記制御部は、精査処理を実行する時刻を判定し、
前記制御部は、判定した精査処理を実行する時刻に基づいて、前記第一の精査処理、又は、前記第二の精査処理を、選択的に実行する請求項２に記載の有価媒体処理装置。
【請求項６】
前記制御部は、前記精査処理を実行する時刻と、前記第一の精査処理、又は、前記第二の精査処理の指定とを予約し、
前記制御部は、予約内容に基づいて、前記第一の精査処理、又は、前記第二の精査処理を、選択的に実行する請求項２に記載の有価媒体処理装置。
【請求項７】
前記制御部は、前記第一の精査処理を実行する第一精査処理部と、前記第二の精査処理を実行する第二精査処理部と、を含み、
前記制御部は、前記第一精査処理部、又は、前記第二精査処理部に、選択的に精査処理を実行させる請求項２〜６のいずれか１項に記載の有価媒体処理装置。
【請求項８】
前記制御部は、前記精査処理を行うときの前記有価媒体の速度を設定し、
前記制御部は、設定した速度に従って、前記第一の精査処理と、前記第二の精査処理と、を選択的に実行する請求項１に記載の有価媒体処理装置。
【請求項９】
前記制御部は、前記有価媒体を機内に入れかつ前記収納部に収納する入金処理を行い、
前記制御部は、前記入金処理を実行する場合、前記搬送部に、前記有価媒体を前記第一速度で搬送させる請求項１〜８のいずれか１項に記載の有価媒体処理装置。
【請求項１０】
前記制御部は、前記有価媒体を前記収納部から繰り出しかつ機外に出す出金処理を行い、
前記制御部は、前記出金処理を実行する場合、前記搬送部に、前記有価媒体を前記第一速度で搬送させる請求項１〜９のいずれか１項に記載の有価媒体処理装置。
【請求項１１】
前記制御部は、前記第一の精査処理の所要時間、及び、前記第二の精査処理の所要時間を算出し、
前記制御部が算出した、前記第一の精査処理の所要時間及び前記第二の精査処理の所要時間を報知する報知部を備えている請求項１〜１０のいずれか１項に記載の有価媒体処理装置。
【請求項１２】
有価媒体を収納する収納部と、前記収納部から繰り出された有価媒体を搬送する搬送部と、前記収納部に収納している有価媒体を計数する精査処理を行う制御部と、を有する有価媒体処理装置と、
前記有価媒体処理装置に接続されかつ、前記有価媒体処理装置に、少なくとも前記精査処理の実行を指令する信号を出力する指令装置と、を備え、
前記制御部は、前記指令装置の指令を受け、前記収納部から繰り出された前記有価媒体を前記搬送部に第一速度で搬送させかつ、前記有価媒体を計数する第一の精査処理、又は、前記収納部から繰り出された前記有価媒体を前記搬送部に前記第一速度よりも遅い第二速度で搬送させかつ、前記有価媒体を計数する第二の精査処理を、選択的に実行する有価媒体処理システム。
【請求項１３】
第一の精査処理、又は、第二の精査処理を選択するステップと、
前記第一の精査処理が選択された場合に、有価媒体処理装置が、収納部から繰り出された有価媒体を第一速度で搬送しかつ、前記有価媒体を計数するステップと、
前記第二の精査処理が選択された場合に、前記有価媒体処理装置が、前記収納部から繰り出された有価媒体を前記第一速度よりも遅い第二速度で搬送しかつ、前記有価媒体を計数するステップと、を備えている有価媒体処理方法。
【請求項１４】
有価媒体を収納する収納部と、
前記収納部から繰り出された有価媒体を搬送する搬送部と、
前記有価媒体を機内に入れかつ前記収納部に収納する入金処理、及び、前記有価媒体を前記収納部から繰り出しかつ機外に出す出金処理の少なくとも一方である第一処理と、前記収納部に収納している有価媒体を計数する精査処理である第二処理とを実行する制御部と、を備え、
前記制御部は、前記第一処理を実行する場合は、前記搬送部に前記有価媒体を非精査速度で搬送させ、前記第二処理を実行する場合は、前記搬送部に前記収納部から繰り出された前記有価媒体を、前記非精査速度よりも遅い精査速度で搬送させる有価媒体処理装置。
【発明の詳細な説明】
【技術分野】
【０００１】
ここに開示する技術は、有価媒体処理装置、有価媒体処理システム、及び、有価媒体処理方法に関する。
【背景技術】
【０００２】
特許文献１には、有価媒体処理装置が記載されている。この有価媒体処理装置は、現金自動預金支払機に内蔵される硬貨処理機である。特許文献１の硬貨処理機は、精査処理を行う。精査処理は、収納筒に収納している硬貨を計数する処理である。特許文献１の硬貨処理機は、精査処理時に、硬貨の収納量に応じて、収納筒から硬貨を繰り出す間隔を変更する。【０００３】
具体的に、硬貨処理機は、精査処理が進んで収納筒内の硬貨の収納量が少なくなると、硬貨を間欠的に繰り出す。これにより、硬貨の繰り出しが安定する。
【先行技術文献】
【特許文献】
【０００４】
【特許文献１】特開平４−３３３９９７号公報
【発明の概要】
【発明が解決しようとする課題】
【０００５】
ところで、硬貨や紙幣等の有価媒体を処理する装置が行う精査処理は、精査対象の有価媒体の数にも依るが、長時間を要する。そのため、従来の有価媒体処理装置は、精査対象の有価媒体を搬送する速度をできるだけ速くし、精査処理の所要時間を短くしてきた。【０００６】
また、有価媒体処理装置が精査処理を行っている間は、有価媒体処理装置は、入金処理や出金処理を行うことができない。有価媒体処理装置が設置される金融機関の店舗や、流通店舗の営業に影響が及ばないように、店舗の営業時間内に精査処理を行うのではなく、営業時間外、例えば夜間に無人で、有価媒体処理装置が精査処理を行うことも考えられる。【０００７】
しかしながら、有価媒体処理装置が営業時間外に無人で精査処理を行っている最中に、有価媒体の詰まりが発生してしまうと、精査処理を継続することができなくなる。精査処理は中断してしまう。精査処理が中断した場合は、例えば担当者が有価媒体の詰まりを解消した上で精査処理を再開し、次の営業が開始するまでに精査処理を完了しなければならない。担当者は大きな負担を強いられる。【０００８】
また、有価媒体処理装置が営業時間外に無人で精査処理を行っているときに、識別エラーや識別不可といった要因によってリジェクトされた有価媒体が発生した場合も、担当者は、次の営業が開始するまでに対応をしなければならない。具体的に担当者は、例えばリジェクトされた有価媒体を、有価媒体処理装置に、再度、識別させて収納部に収納させる等の対応をしなければならない。リジェクトされた有価媒体の数が多くなるほど、担当者の負担も大きくなってしまう。【０００９】
ここに開示する技術は、有価媒体処理装置に精査処理を適切に実行させる。
【課題を解決するための手段】
【００１０】
本願発明者は、精査処理を実行する状況によって、精査処理に要する時間を変えることに着目した。店舗の営業時間内に精査処理を行うときには、精査処理の所要時間は、できるだけ短いことが好ましい一方で、営業時間外に精査処理を行うときに精査処理の所要時間が長くなることは、許容される。本願発明者はまた、有価媒体の搬送速度を遅くすると、有価媒体の詰まりが発生し難くなると共に、識別エラーや識別不可といった要因によって有価媒体がリジェクトされる頻度も低下することを見いだした。本願発明者は、これらの知見に基づいて、ここに開示する技術を完成するに至った。【００１１】
具体的に、ここに開示する有価媒体処理装置は、有価媒体を収納する収納部と、前記収納部から繰り出された有価媒体を搬送する搬送部と、前記収納部に収納している有価媒体を計数する精査処理を行う制御部と、を備える。【００１２】
そして、前記制御部は、前記収納部から繰り出された前記有価媒体を前記搬送部に第一速度で搬送させかつ、前記有価媒体を計数する第一の精査処理と、前記収納部から繰り出された前記有価媒体を前記搬送部に前記第一速度よりも遅い第二速度で搬送させかつ、前記有価媒体を計数する第二の精査処理と、を行う。【００１３】
この構成によると、有価媒体処理装置は、第一の精査処理を行う場合、有価媒体を搬送する速度が速いため、短時間で精査処理を終了することができる。【００１４】
有価媒体処理装置は、第二の精査処理を行う場合、有価媒体の搬送速度が遅いため、第二の精査処理は、有価媒体の詰まりが発生し難いと共に、識別エラーや識別不可といった要因によって有価媒体がリジェクトされる頻度も低下する。有価媒体処理装置は、精査処理を適切に行うと共に、精査処理を完了させることができる。【００１５】
前記制御部は、前記第一の精査処理、又は、前記第二の精査処理を、選択的に、実行する、としてもよい。【００１６】
制御部は、選択的に、第一の精査処理、又は、第二の精査処理を実行することにより、精査処理を適切に行うことができる。【００１７】
前記有価媒体処理装置は、操作者の操作に応じた信号を出力する操作部を備え、前記制御部は、前記操作部が出力した信号に基づいて、前記第一の精査処理、又は、前記第二の精査処理を、選択的に実行する、としてもよい。【００１８】
操作者は、有価媒体処理装置に、第一の精査処理、又は、第二の精査処理を、選択的に実行させることができる。【００１９】
前記有価媒体処理装置は、他の装置からの指示を受信する通信部を備え、前記制御部は、前記通信部が受信した指示に基づいて、前記第一の精査処理、又は、前記第二の精査処理を、選択的に実行する、としてもよい。【００２０】
有価媒体処理装置は、他の装置からの指令に従って、第一の精査処理、又は、第二の精査処理を、選択的に実行することにより、精査処理を適切に行うことができる。【００２１】
前記制御部は、精査処理を実行する時刻を判定し、前記制御部は、判定した時刻に基づいて、前記第一の精査処理、又は、前記第二の精査処理を、選択的に実行する、としてもよい。【００２２】
有価媒体処理装置は、時刻に基づいて、精査処理を適切に行うことができる。【００２３】
前記制御部は、前記精査処理を実行する時刻と、前記第一の精査処理又は前記第二の精査処理の指定と、を予約し、前記制御部は、予約内容に基づいて、前記第一の精査処理、又は、前記第二の精査処理を、選択的に実行する、としてもよい。【００２４】
有価媒体処理装置は、予約内容に従って精査処理を行う際に、精査処理を適切に行うことができる。【００２５】
前記制御部は、前記第一の精査処理を実行する第一精査処理部と、前記第二の精査処理を実行する第二精査処理部と、を含み、前記制御部は、前記第一精査処理部、又は、前記第二精査処理部に、選択的に精査処理を実行させる、としてもよい。【００２６】
第一精査処理部又は第二精査処理部が、選択的に、第一の精査処理又は第二の精査処理を行うことによって、有価媒体処理装置は、精査処理を適切に行うことができる。【００２７】
前記制御部は、前記精査処理を行うときの前記有価媒体の速度を設定し、前記制御部は、設定した速度に従って、前記第一の精査処理と、前記第二の精査処理と、を選択的に実行する、としてもよい。【００２８】
設定した速度に従って、制御部が、選択的に、第一の精査処理、又は、第二の精査処理を行うことによって、有価媒体処理装置は、精査処理を適切に行うことができる。【００２９】
前記制御部は、前記有価媒体を機内に入れかつ前記収納部に収納する入金処理を行い、前記制御部は、前記入金処理を実行する場合、前記搬送部に、前記有価媒体を前記第一速度で搬送させる、としてもよい。【００３０】
これにより、入金処理の所要時間が短くなる。【００３１】
前記制御部は、前記有価媒体を前記収納部から繰り出しかつ機外に出す出金処理を行いい、前記制御部は、前記出金処理を実行する場合、前記搬送部に、前記有価媒体を前記第一速度で搬送させる、としてもよい。【００３２】
これにより、出金処理の所要時間が短くなる。【００３３】
前記制御部は、前記第一の精査処理の所要時間、及び、前記第二の精査処理の所要時間を算出し、前記制御部が算出した、前記第一の精査処理の所要時間及び前記第二の精査処理の所要時間を報知する報知部を備えている、としてもよい。【００３４】
特に、操作者が第一の精査処理又は第二の精査処理を選択する構成において、操作者は、所要時間の情報に基づいて、第一の精査処理又は第二の精査処理を、適切に選択することができる。【００３５】
ここに開示する技術はまた、有価媒体処理システムに係る。有価媒体処理システムは、有価媒体を収納する収納部と、前記収納部から繰り出された有価媒体を搬送する搬送部と、前記収納部に収納している有価媒体を計数する精査処理を行う制御部と、を有する有価媒体処理装置と、前記有価媒体処理装置に接続されかつ、前記有価媒体処理装置に、少なくとも前記精査処理の実行を指令する信号を出力する指令装置と、を備え、前記制御部は、前記指令装置の指令を受け、前記収納部から繰り出された前記有価媒体を前記搬送部に第一速度で搬送させかつ、前記有価媒体を計数する第一の精査処理、又は、前記収納部から繰り出された前記有価媒体を前記搬送部に前記第一速度よりも遅い第二速度で搬送させかつ、前記有価媒体を計数する第二の精査処理を、選択的に実行する。【００３６】
ここに開示する技術は、有価媒体処理方法に係る。有価媒体処理方法は、第一の精査処理、又は、第二の精査処理を選択するステップと、前記第一の精査処理が選択された場合に、有価媒体処理装置が、収納部から繰り出された有価媒体を第一速度で搬送しかつ、前記有価媒体を計数するステップと、前記第二の精査処理が選択された場合に、前記有価媒体処理装置が、前記収納部から繰り出した有価媒体を前記第一速度よりも遅い第二速度で搬送しかつ、前記有価媒体を計数するステップと、を備えている。【００３７】
ここに開示する有価媒体処理装置は、有価媒体を収納する収納部と、前記収納部から繰り出された有価媒体を搬送する搬送部と、前記有価媒体を機内に入れかつ前記収納部に収納する入金処理、及び、前記有価媒体を前記収納部から繰り出しかつ機外に出す出金処理の少なくとも一方である第一処理と、前記収納部に収納している有価媒体を計数する精査処理である第二処理とを実行する制御部と、を備え、前記制御部は、前記第一処理を実行する場合は、前記搬送部に前記有価媒体を非精査速度で搬送させ、前記第二処理を実行する場合は、前記搬送部に前記収納部から繰り出された前記有価媒体を、前記非精査速度よりも遅い精査速度で搬送させる。
【発明の効果】
【００３８】
以上説明したように、前記の有価媒体処理装置、有価媒体処理システム、及び、有価媒体処理方法によると、精査処理を適切に行うことができる。
【図面の簡単な説明】
【００３９】
【図１】図１は、有価媒体処理システムの構成例を示す図である。
【図２】図２は、有価媒体処理装置の構成例を示すブロック図である。
【図３】図３は、紙幣処理ユニットの内部構成例を示す図である。
【図４】図４は、硬貨処理ユニットの内部構成例を示す図である。
【図５】図５は、硬貨処理ユニットの内部構成例を示す図である。
【図６】図６は、硬貨処理ユニットの内部構成例を示す図である。
【図７】図７は、紙葉類処理ユニットの内部構成例を示す図である。
【図８】図８は、制御部の機能構成を例示するブロック図である。
【図９】図９は、図８とは異なる制御部の機能構成を例示するブロック図である。
【図１０】図１０は、精査処理の予約を行う画面を例示する図である。
【図１１】図１１は、精査処理の選択を行う画面を例示する図である。
【図１２】図１２は、有価媒体処理装置が行う処理に関する制御手順を例示するフローチャートである。
【発明を実施するための形態】
【００４０】
以下、有価媒体処理装置、有価媒体処理システム、及び、有価媒体処理方法の実施形態を図面に基づいて詳細に説明する。以下の説明は、有価媒体処理装置、有価媒体処理システム、及び、有価媒体処理方法の一例である。
【００４１】
図１は、有価媒体処理システム１の構成例を示している。有価媒体処理システム１は、例えば銀行等の金融機関に設けられる。有価媒体処理システム１は、有価媒体処理装置１０と、第一管理コンピュータ１１と、第二管理コンピュータ１２と、を備えている。有価媒体処理装置１０及び第一管理コンピュータ１１は、例えば金融機関の営業店舗に設置される。第二管理コンピュータ１２は、例えば金融機関の本店に設置される。つまり第二管理コンピュータ１２は、有価媒体処理装置１０が設置されている営業店舗から離れた位置に設置され、遠隔（リモート）で有価媒体処理装置１０に指示を行う。有価媒体処理装置１０と第一管理コンピュータ１１と第二管理コンピュータ１２とは、共に、ネットワーク２に接続されている。尚、「有価媒体」は、有価媒体処理装置１０が処理を行う媒体を意味する。具体的に、以下の説明において「有価媒体」には、バラ紙幣、帯封紙幣、バラ硬貨、包装硬貨、リジェクト紙幣、損券、旧券、新券、及び、有価証券が含まれる。尚、「有価媒体」は、それよりも広い意味としてもよい。
【００４２】
（有価媒体処理装置の構成例）
図２は、有価媒体処理装置１０の構成を例示するブロック図である。有価媒体処理装置１０は、紙幣処理ユニット１００、硬貨処理ユニット２００、紙葉類処理ユニット３００、プリンタ４００、及び、端末ユニット５００を備えている。
【００４３】
紙幣処理ユニット１００は、紙幣の処理を行う。具体的に、紙幣処理ユニット１００は、バラ紙幣の入金処理及び出金処理を行う。紙幣処理ユニット１００はまた、帯封紙幣の作成、及び、帯封紙幣の出金処理を行う。
【００４４】
硬貨処理ユニット２００は、硬貨の処理を行う。具体的に、硬貨処理ユニット２００は、バラ硬貨の入金処理及び出金処理を行う。硬貨処理ユニット２００はまた、包装硬貨の作成、及び、包装硬貨の出金処理を行う。
【００４５】
紙葉類処理ユニット３００は、紙幣処理ユニット１００が処理を行わない紙幣の処理を行う。紙幣処理ユニット１００が処理を行わない紙幣は、紙幣処理ユニット１００がリジェクトしたリジェクト紙幣、損傷度合いや汚損が激しい紙幣である損券、及び、現在発行されている紙幣よりも発行された年代が古い紙幣である旧券である。紙葉類処理ユニット３００はまた、未だ市場流通していない紙幣（いわゆる新券）の処理も行う。紙葉類処理ユニット３００はさらに、紙幣の他に、小切手や手形といった有価証券の処理も行う。紙葉類処理ユニット３００は、リジェクト紙幣、損券、旧券、有価証券の入金処理、及び、新券の出金処理を行う。
【００４６】
プリンタ４００は、例えば感熱式プリンタや、インクジェットプリンタによって構成されている。プリンタ４００は、有価媒体処理装置１０において取引を行う毎に伝票の印刷をしたり、各種のレシートの印刷を行ったりする。
【００４７】
端末ユニット５００は、操作者が操作をする操作部でありかつ、操作者に対して各種の情報を、表示を通じて報知する報知部である。端末ユニット５００は、タッチパネル５０１を備えている。タッチパネル５０１は、表示部と操作部とが一体化している。タッチパネル５０１は、種々の情報を含んだ画面を表示すると共に、操作者が当該画面において行った操作に対応する信号を出力する。
【００４８】
端末ユニット５００はまた、紙幣処理ユニット１００、硬貨処理ユニット２００、紙葉類処理ユニット３００、及び、プリンタ４００の制御を行う制御装置である。端末ユニット５００は、周知のマイクロコンピュータをベースとした制御部６００を備えている。制御部６００は、例えばＣＰＵと、メモリと、Ｉ／Ｏバスと、クロックとを含んでいる。ＣＰＵは、プログラムを実行する中央演算処理装置（Central Processing Unit）である。メモリは、例えばＲＡＭ（Random Access Memory）及び／又はＲＯＭ（Read Only Memory）により構成されかつ、プログラム及びデータを格納する。Ｉ／Ｏバスは、電気信号の入出力を行う。クロックは、時刻情報を管理する。
【００４９】
端末ユニット５００は、紙幣処理ユニット１００、硬貨処理ユニット２００、紙葉類処理ユニット３００、及び、プリンタ４００に制御信号を出力する。紙幣処理ユニット１００、硬貨処理ユニット２００、紙葉類処理ユニット３００、及び、プリンタ４００はそれぞれ、端末ユニット５００の制御信号に従って動作する。
【００５０】
端末ユニット５００はまた、記憶部５０２、カードリーダ５０３、及び、通信部５０４を備えている。記憶部５０２は、有価媒体処理装置１０の在高を少なくとも記憶している。カードリーダ５０３は、操作者が有しているＩＤカードの情報を読み取る。通信部５０４は、ネットワーク２に接続されている。通信部５０４は、ネットワーク２を通じた通信を行う。端末ユニット５００は、通信部５０４及びネットワーク２を介して、第一管理コンピュータ１１及び第二管理コンピュータ１２に接続されている。
【００５１】
第一管理コンピュータ１１は、有価媒体処理装置１０の管理を行う。第一管理コンピュータ１１は、有価媒体処理装置１０から送信されたデータを管理する。第二管理コンピュータ１２も、有価媒体処理装置１０の管理を行う。第二管理コンピュータ１２も、有価媒体処理装置１０から送信されたデータを管理する。
【００５２】
第一管理コンピュータ１１及び／又は第二管理コンピュータ１２には、図１に例示するように、スマートフォン３１や、タブレット端末３２のような携帯端末が通信可能に接続される。操作者は、スマートフォン３１又はタブレット端末３２を操作することによって、第一管理コンピュータ１１及び／又は第二管理コンピュータ１２を通じて、有価媒体処理装置１０に処理を実行させることができる。スマートフォン３１又はタブレット端末３２は、第一管理コンピュータ１１及び／又は第二管理コンピュータ１２を介さずに、有価媒体処理装置１０に直接、接続されるよう構成してもよい。
【００５３】
（紙幣処理ユニットの構成例）
図３は紙幣処理ユニット１００の内部構成を概略的に示す図である。図３において、紙面左側の面が紙幣処理ユニット１００の前面であり、紙面右側の面が紙幣処理ユニット１００の後面である。
【００５４】
紙幣処理ユニット１００の筐体１０１の前面には、投入部１０２、バラ紙幣投出部１０３、及び、帯封紙幣投出部１０４がそれぞれ設けられている。投入部１０２には、入金対象のバラ紙幣が投入される。バラ紙幣投出部１０３は、バラ紙幣を出金する。帯封紙幣投出部１０４は、帯封紙幣を出金する。
【００５５】
搬送部１０５は、バラ紙幣を、一枚ずつ搬送する。搬送部１０５には識別部１０６が設けられている。識別部１０６は、入金対象又は出金対象のバラ紙幣の金種、真偽、表裏、正損、新旧、及び、搬送状態を識別する。識別部１０６は、様々なセンサを有している。
【００５６】
搬送部１０５には、紙幣一時保留部１０７と、複数のバラ紙幣収納部１０８とが接続されている。紙幣一時保留部１０７は集積方式の収納部である。紙幣一時保留部１０７はバラ紙幣を積層状態で収納する。バラ紙幣収納部１０８も集積方式の収納部であり、バラ紙幣を積層状態で収納する。
【００５７】
操作者は、入金対象のバラ紙幣を、投入部１０２に投入する。入金対象のバラ紙幣は、機内に取り込まれて識別及び計数された後に、紙幣一時保留部１０７に一時的に保留される。入金処理が確定した後、紙幣一時保留部１０７に一時保留したバラ紙幣は、バラ紙幣収納部１０８に収納される（つまり、バラ紙幣の入金処理）。また、入金対象のバラ紙幣は、紙幣一時保留部１０７に一時的に保留されることなくバラ紙幣収納部１０８に収納されることもある。
【００５８】
いくつかのバラ紙幣収納部１０８は、収納している紙幣を繰り出すことができる。出金対象のバラ紙幣は、バラ紙幣収納部１０８から繰り出されかつ識別部１０６が識別した後に、バラ紙幣投出部１０３に出る（つまり、バラ紙幣の出金処理）。
【００５９】
搬送部１０５には複数の集積部１０９が接続されている。集積部１０９は、バラ紙幣を積層状態で集積する。集積部１０９の隣には、帯封部１１０が設けられている。集積部１０９に集積された所定枚数（例えば１００枚）の紙幣の束は、アーム機構１１１によって帯封部１１０に搬送される。帯封部１１０は、紙幣束に帯封紙を巻くことによって帯封紙幣を作成する。アーム機構１１１は、帯封部１１０において作成された帯封紙幣をさらに、揚送部１１２に搬送する。
【００６０】
揚送部１１２は、上下方向に移動可能なステージ１１２ａを有している（同図の実線及び一点鎖線参照）。アーム機構１１１は、帯封紙幣をステージ１１２ａ上に受け渡す。ステージ１１２ａ上には、複数の帯封紙幣を重ねることができる。
【００６１】
揚送部１１２は、ステージ１１２ａを帯封紙幣投出部１０４よりも高い位置で停止することにより、ステージ１１２ａ上に集積されている帯封紙幣を、帯封紙幣搬送部１１３に受け渡すことができる。また、揚送部１１２は、帯封紙幣収納部１１４から出た帯封紙幣を、帯封紙幣搬送部１１３から受け取り、ステージ１１２ａ上に集積することができる。
【００６２】
帯封紙幣収納部１１４は、筐体１０１の内部における上部領域に設けられている。上部領域には、複数の帯封紙幣収納部１１４が並んでいる。帯封紙幣収納部１１４は、帯封紙幣を積層状態で集積することができる。帯封紙幣収納部１１４はまた、集積している帯封紙幣を、上端開口から上方に出すことができる。
【００６３】
帯封紙幣搬送部１１３は、帯封紙幣収納部１１４の上方に設けられている。帯封紙幣搬送部１１３は、帯封紙幣の搬送を行う。帯封紙幣搬送部１１３は、複数の突起１１３ａが等間隔で設けられた循環ベルト１１３ｂを有している。帯封紙幣は、突起１１３ａにより引っ掛けられた状態で、循環ベルト１１３ｂの下面に沿って移動する。
【００６４】
揚送部１１２と帯封紙幣収納部１１４との間には、第二識別部１１５が設けられている。第二識別部１１５は、帯封紙幣の最下面の紙幣の撮像画像に基づいて、帯封紙幣の金種を識別する。
【００６５】
図３に一点鎖線で示すように、ステージ１１２ａが帯封紙幣投出部１０４と同程度の高さで停止し、この状態で、帯封紙幣投出部１０４のシャッタ１０４ａが開くと、操作者はステージ１１２ａ上に集積されている帯封紙幣を取り出すことができる（つまり、帯封紙幣の出金処理）。
【００６６】
（硬貨処理ユニットの構成例）
図４〜図６は硬貨処理ユニット２００の内部構造を示す図である。図４は、硬貨処理ユニット２００を正面から見た図、図５は左側面から見た図、図６は右側面から見た図である。図５において、紙面右側の面が硬貨処理ユニット２００の前面であり、紙面左側の面が硬貨処理ユニット２００の後面である。図６において、紙面左側の面が硬貨処理ユニット２００の前面であり、紙面右側の面が硬貨処理ユニット２００の後面である。
【００６７】
硬貨処理ユニット２００の筐体２０１内の上部には、投入部２０２と、入金識別部２０３と、入金搬送部２０４とが設けられている。投入部２０２には、入金対象のバラ硬貨が投入される。投入部２０２は、投入された複数枚の硬貨を１枚ずつ繰り出す。入金識別部２０３は、硬貨の金種、真偽、正損を識別する。入金識別部２０３は、様々なセンサを有している。入金搬送部２０４は、識別後の硬貨を、硬貨一時保留部２０５に搬送する。
【００６８】
硬貨一時保留部２０５は、入金搬送部２０４の下方に配設されている。硬貨一時保留部２０５は、入金対象の硬貨を一時的に保留（つまり、収納）する。硬貨一時保留部２０５は、複数の保留筒を有している。入金搬送部２０４は、入金対象の硬貨を、金種別に複数の保留筒に振り分ける。硬貨一時保留部２０５は、保留している硬貨を、バラ硬貨収納部２０６又は返却箱２０７に選択的に放出する。
【００６９】
返却箱２０７は、硬貨一時保留部２０５の下方に配設されている。返却箱２０７は、硬貨一時保留部２０５から放出された返却硬貨を収納する。返却箱２０７は、筐体２０１の前面から前方に引き出すことが可能である。
【００７０】
バラ硬貨収納部２０６は、返却箱２０７の横に配設されている。バラ硬貨収納部２０６は、硬貨一時保留部２０５から放出された入金対象の硬貨を収納する。バラ硬貨収納部２０６は、複数の収納庫を有している。複数の収納庫は、硬貨一時保留部２０５の複数の保留筒に対応している。入金対象の硬貨は、機内に取り込まれて識別された後に、バラ硬貨収納部２０６に収納される（つまり、バラ硬貨の入金処理）。
【００７１】
バラ硬貨収納部２０６の下方には、出金搬送部２０８と出金識別部２０９が配置されている。出金搬送部２０８の下方には、出金箱２１０と包装部２１１が配置されている。
【００７２】
バラ硬貨収納部２０６は、内部に収納している硬貨を出金搬送部２０８に金種別に１枚ずつ繰り出すことができる。出金搬送部２０８は、硬貨を出金箱２１０又は包装部２１１に選択的に搬送する。
【００７３】
出金識別部２０９は、出金箱２１０へ搬送される出金対象の硬貨の識別と計数とを行う。出金識別部２０９は、硬貨の金種，真偽，正損を識別する。出金識別部２０９は、様々なセンサを有している。
【００７４】
出金箱２１０は、出金対象の硬貨を収納する。出金箱２１０は、筐体２０１の前面から前方に引き出すことができる。出金対象のバラ硬貨は、バラ硬貨収納部２０６から繰り出されて識別された後に、出金箱２１０を通じて機外に出される（つまり、バラ硬貨の出金処理）。
【００７５】
包装部２１１は、所定枚数の硬貨を包装紙で包装することによって包装硬貨を作成する。包装部２１１は、バラ硬貨収納部２０６から繰り出されかつ出金搬送部２０８によって搬送された硬貨を用いて包装硬貨を作成する。包装部２１１は、作成した包装硬貨を包装硬貨搬送部２１２に放出する。
【００７６】
包装硬貨搬送部２１２は、包装部２１１と包装硬貨収納部２１３とを接続する。包装硬貨搬送部２１２はまた、包装硬貨収納部２１３と包装硬貨一括箱２１４と包装硬貨出金部２１５とを接続する。包装硬貨搬送部２１２は、これらの各部の間において、包装硬貨を搬送する。
【００７７】
包装硬貨収納部２１３は、包装硬貨を金種別に収納する。包装硬貨収納部２１３は収納している包装硬貨を繰り出す。包装硬貨一括箱２１４は、包装硬貨収納部２１３から繰り出された出金対象の包装硬貨を保持する。包装硬貨出金部２１５は、出金対象の包装硬貨を保持する。操作者は、包装硬貨一括箱２１４の包装硬貨、及び、包装硬貨出金部２１５の包装硬貨を取り出すことができる（つまり、包装硬貨の出金処理）。
【００７８】
（紙葉類処理ユニットの構成例）
図７は紙葉類処理ユニット３００の内部構成図である。図７において、紙面左側の面が紙葉類処理ユニット３００の前面であり、紙面右側の面が紙葉類処理ユニット３００の後面である。
【００７９】
紙葉類処理ユニット３００には、紙葉類が投入される投入部３０２と、紙葉類を機外に払い出す払出部３０３とが設けられている。投入部３０２及び払出部３０３は、紙葉類処理ユニット３００の筐体３０１の前面に設けられている。
【００８０】
搬送部３０４は、投入部３０２から繰り出された有価媒体を、一枚ずつ搬送する。搬送部３０４には、撮像部３０５が設けられている。撮像部３０５は、機内に取り込んだ有価媒体の両面を撮像することによって画像データを取得する。
【００８１】
搬送部３０４にはまた、一時保留部３０６が接続されている。一時保留部３０６は、撮像部３０５を通過した有価媒体を一時的に保留する。一時保留部３０６は、テープ巻取方式に構成されている。一時保留部３０６は、有価媒体をテープと共に、ドラムに巻き取る。
【００８２】
紙葉類処理ユニット３００の筐体３０１内には、小切手等を収納する、複数の特定有価証券収納部３０７と、損券や旧券を収納する損券収納部３０８とが設けられている。特定有価証券収納部３０７は集積方式の収納部である。
【００８３】
損券収納部３０８は、第１損券収納部３０９と、第２損券収納部３１０とを備えている。第１損券収納部３０９は集積方式の収納部である。第２損券収納部３１０はテープ巻取方式の収納部である。
【００８４】
入金対象の紙葉類は、機内に取り込まれた後、特定有価証券収納部３０７、第１損券収納部３０９、又は、第２損券収納部３１０に収納される（つまり、紙葉類の入金処理）。
【００８５】
紙葉類処理ユニット３００の筐体３０１内には、複数の新券収納部３１１が設けられている。新券収納部３１１は、新券を収納する。各新券収納部３１１は、繰出機構によって、新券を搬送部３０４に一枚ずつ繰り出すことができる。
【００８６】
払出部３０３は搬送部３０４に接続されている。例えば新券の出金処理時に、搬送部３０４は、新券収納部３１１から繰り出された新券を払出部３０３に搬送し、払出部３０３に新券を出す（つまり、新券の出金処理）。新券収納部３１１と払出部３０３との間には、新券識別部３１２が配設されている。新券識別部３１２は、新券の識別を行う。
【００８７】
（有価媒体処理装置の精査処理）
有価媒体処理装置１０は、各ユニットに収納している有価媒体を計数する精査処理を実行する。具体的に、紙幣処理ユニット１００は、バラ紙幣収納部１０８に収納しているバラ紙幣を対象とした精査処理を行う場合には、搬送部１０５が、バラ紙幣収納部１０８と紙幣一時保留部１０７との間において紙幣を搬送する。バラ紙幣収納部１０８と紙幣一時保留部１０７との間で紙幣が往復移動する間に、識別部１０６が紙幣の識別及び計数を行う。制御部６００は、識別結果及び計数結果と、記憶部５０２が記憶している在高とを比較する。
【００８８】
紙幣処理ユニット１００はまた、帯封紙幣収納部１１４に収納している帯封紙幣を対象とした精査処理を行う場合には、帯封紙幣搬送部１１３が、帯封紙幣収納部１１４と揚送部１１２との間において帯封紙幣を搬送する。帯封紙幣収納部１１４と揚送部１１２との間で紙幣が往復移動する間に、第二識別部１１５が帯封紙幣の識別及び計数を行う。制御部６００は、識別結果及び計数結果と、記憶部５０２が記憶している在高とを比較する。
【００８９】
硬貨処理ユニット２００は、バラ硬貨収納部２０６に収納しているバラ硬貨を対象とした精査処理を行う場合には、バラ硬貨収納部２０６に収納しているバラ硬貨を、出金経路を通じて機外に払い出し、払い出されたバラ硬貨を操作者が投入部２０２に再投入した後、入金識別部２０３がバラ硬貨の識別及び計数を行う。識別されたバラ硬貨は元のバラ硬貨収納部２０６に収納される。制御部６００は、識別結果及び計数結果と、記憶部５０２が記憶している在高とを比較する。
【００９０】
硬貨処理ユニット２００は、包装硬貨収納部２１３に収納している包装硬貨を対象とした精査処理を行う場合には、包装硬貨収納部２１３に設けたセンサユニット（図示せず）が、包装硬貨収納部２１３の包装硬貨の数を数える。制御部６００は、計数結果と、記憶部５０２が記憶している在高とを比較する。
【００９１】
紙葉類処理ユニット３００は、新券収納部３１１に収納している新券を対象とした精査処理を行う場合には、搬送部３０４が、新券収納部３１１と一時保留部３０６との間において新券を搬送する。新券収納部３１１と一時保留部３０６との間で紙幣が往復移動する間に、新券識別部３１２が新券の識別及び計数を行う。制御部６００は、識別結果及び計数結果と、記憶部５０２が記憶している在高とを比較する。
【００９２】
有価媒体処理装置１０は、精査処理として、第一の精査処理と、第二の精査処理と、を行うことができる。第一の精査処理は、収納部から繰り出した有価媒体を第一速度で搬送しかつ計数する。第二の精査処理は、収納部から繰り出した有価媒体を第一速度よりも遅い第二速度で搬送しかつ計数する。
【００９３】
第一速度は相対的に速いため、第一の精査処理は、所要時間が短い。第二速度は相対的に遅いため、第二の精査処理中は、精査処理を行っている間に、有価媒体の詰まりが発生したり、識別エラー等によりリジェクト媒体が発生したりすることが抑制される。
【００９４】
尚、紙幣処理ユニット１００における第一速度、硬貨処理ユニット２００における第一速度、及び、紙葉類処理ユニット３００における第一速度は、同じ速度とは限らない。紙幣処理ユニット１００における第二速度、硬貨処理ユニット２００における第二速度、及び、紙葉類処理ユニット３００における第二速度は、同じ速度とは限らない。
【００９５】
紙幣処理ユニット１００における第二速度は、紙幣処理ユニット１００における第一速度よりも遅い。硬貨処理ユニット２００における第二速度は、硬貨処理ユニット２００における第一速度よりも遅い。紙葉類処理ユニット３００における第二速度は、紙葉類処理ユニット３００における第一速度よりも遅い。
【００９６】
第一速度は、紙幣処理ユニット１００、硬貨処理ユニット２００、及び、紙葉類処理ユニット３００の各ユニットにおいて、入金処理及び出金処理の際に有価媒体を搬送する速度と同じ速度としてもよい。この場合、第二速度は、入金処理及び出金処理の際に有価媒体を搬送する速度よりも遅い速度になる。第二速度は、一例として、第一速度の１／３程度の速度にしてもよい。
【００９７】
ユニット内の全ての有価媒体を対象とした精査処理は特に、精査対象の有価媒体の数が多いため、所要時間が長くなってしまう。店舗の営業に影響が及ばないよう、有価媒体処理装置１０の精査処理は、店舗の営業時間外（例えば夜間や休日）に、無人で行うことが考えられる。
【００９８】
しかしながら、営業時間外に無人で精査処理を行っている最中に、有価媒体の詰まりが発生してしまうと、精査処理を続けることができなくなって、有価媒体処理装置１０が停止してしまう。精査処理の途中で有価媒体処理装置１０が停止した場合は、担当者が有価媒体の詰まりを解消した上で精査処理を再開し、店舗の次の営業が開始するまでに精査処理を完了しなければならない。これは、担当者に大きな負担を強いてしまう。
【００９９】
また、営業時間外に無人で精査処理を行っているときに、識別エラーや識別不可といった要因によってリジェクトされた有価媒体が発生した場合も、担当者は、次の営業が開始するまでに、リジェクトされた有価媒体を、有価媒体処理装置１０に、再度、識別させて収納部に収納させる等の対応をしなければならない。リジェクトされた有価媒体の数が多くなるほど、担当者の負担も大きくなってしまう。
【０１００】
営業時間外に無人で精査処理を行う場合に、有価媒体処理装置１０が、相対的に遅い速度で有価媒体を搬送する第二の精査処理を実行することによって、有価媒体の詰まりの発生、及び、リジェクト媒体の発生を抑制することができる。その結果、有価媒体処理装置１０は、精査処理を適切に行うことができる。有価媒体処理装置１０が第二の精査処理を実行すると、精査処理の所要時間は長くなるが、営業時間外であるため、精査処理の所要時間が長くなることは許容できる。
【０１０１】
図８は、有価媒体処理装置１０において、制御部６００が実行する処理に関係する機能ブロックを示している。尚、図８のブロック図は、制御部６００が実行する処理を説明するために用いる図であり、有価媒体処理装置１０の制御部６００は、図８に示す各部を実体として有しているとは限らない。
【０１０２】
制御部６００は、紙幣処理ユニット１００、硬貨処理ユニット２００、及び、紙葉類処理ユニット３００の各ユニットにおいて入金処理を実行する入金処理部６０１と、各ユニットにおいて出金処理を実行する出金処理部６０２と、各ユニットにおいて精査処理を実行する精査処理部６０３と、を備えている。精査処理部６０３は、第一精査処理部６０４と、第二精査処理部６０５とを有している。第一精査処理部６０４は、第一速度で有価媒体を搬送しかつ計数する第一の精査処理を実行し、第二精査処理部６０５は、第二速度で有価媒体を搬送しかつ計数する第二の精査処理を実行する。
【０１０３】
制御部６００は、選択部６０６を有している。選択部６０６は、精査処理を実行する際に、第一精査処理部６０４、又は、第二精査処理部６０５を選択する。これにより、各ユニットは、第一速度で有価媒体を搬送しかつ計数する第一の精査処理、又は、第二速度で有価媒体を搬送しかつ計数する第二の精査処理を選択的に実行する。
【０１０４】
選択部６０６は、以下の（１）〜（４）事項に基づいて、精査処理部６０３に、第一の精査処理、又は、第二の精査処理を、選択的に実行させる。
【０１０５】
（１）選択部６０６は、精査処理の予約内容に従って、精査処理部６０３に、第一の精査処理、又は、第二の精査処理を、選択的に実行させる。
【０１０６】
制御部６００は、精査処理の実行を予約する予約部６０７を備えている。予約部６０７は、精査処理を実行する時刻と、第一の精査処理又は第二の精査処理の指定とを予約する。例えば図１０は、タッチパネル５０１に表示される精査処理の予約のための画面Ｄ１を例示している。操作者は、画面Ｄ１において、精査処理の実行日（例えば、毎日、毎週（特定の曜日）、毎月（特定の日にち）又は特定の年月日等）と、精査処理の開始時刻とを定めることができる。
【０１０７】
また、画面Ｄ１において、操作者は、精査処理の実行の際の、有価媒体の搬送速度を選択できる。通常搬送は、有価媒体を第一速度で搬送することに相当し、低速搬送は、有価媒体を第二速度で搬送することに相当する。つまり、操作者が通常搬送を選択すると、第一の精査処理を指定したことになる。操作者が低速搬送を選択すると、第二の精査処理を指定したことになる。
【０１０８】
画面Ｄ１には、操作者に対する参考情報として、通常搬送時の精査処理の所要時間、リジェクト率、ジャム率と、低速搬送時の精査処理の所要時間、リジェクト率、ジャム率と、が記載されている。タッチパネル５０１は、操作者に各種の情報を報知する報知部の一例である。
【０１０９】
リジェクト率は、精査処理中にリジェクト媒体が発生する頻度に係る指標の一例である。リジェクト率は、例えば精査した有価媒体の全数に対して、リジェクト媒体と識別された有価媒体の数の割合としてもよい。また、リジェクト率は、リジェクト媒体が発生した時間間隔（例えば精査処理の実行中一時間に１回、リジェクト紙幣が発生する等）に基づいて定めてもよい。
【０１１０】
ジャム率は、精査処理中に有価媒体の詰まりが発生する頻度に係る指標の一例である。ジャム率は、例えば精査した有価媒体の全数に対して、詰まりが生じた有価媒体の数の割合としてもよい。また、ジャム率は、精査処理中に詰まりが発生した時間間隔に基づいて定めてもよい。
【０１１１】
リジェクト率及びジャム率は、有価媒体処理装置１０の出荷時に、記憶部５０２に予め記憶しておいてもよいし、有価媒体処理装置１０が店舗に設置された後、制御部６００の算出部６０８が、当該有価媒体処理装置１０の処理実績に基づいてリジェクト率やジャム率を算出し、記憶部５０２に記憶してもよい。制御部６００はまた、記憶部５０２に記憶しているリジェクト率及びジャム率（出荷時に記憶したリジェクト率及びジャム率を含む）を、適宜、更新してもよい。
【０１１２】
所要時間も、有価媒体処理装置１０の出荷時に、収納部の在高毎に、記憶部５０２に予め記憶しておいてもよいし、有価媒体処理装置１０が店舗に設置された後、制御部６００の算出部６０８が、当該有価媒体処理装置１０の処理実績に基づいて所要時間を算出し、記憶部５０２に記憶してもよい。制御部６００はまた、記憶部５０２に記憶している所要時間（出荷時に記憶した所要時間を含む）を、適宜、更新してもよい。
【０１１３】
これらの参考情報を参照することによって、操作者は、精査処理時の搬送速度を適切に設定することができる。例えば精査処理を夜間に、無人で実行するように予約を行う場合には、精査処理の所要時間が長くなることを許容することができる。操作者は、低速搬送を選択することが考えられる。低速搬送は、リジェクト率及びジャム率が共に、通常搬送よりも低くなる。精査処理を夜間に無人で実行する際に、媒体のリジェクトや、媒体の詰まりが発生することを抑制することができる。有価媒体処理装置１０は、精査処理を適切に行うと共に、店舗の営業が開始するまでに精査処理を完了することが可能になる。
【０１１４】
これに対し、例えば精査処理を営業時間内に、有人で実行するように予約を行う場合には、精査処理の所要時間が短いことが好ましい。操作者は、通常搬送を選択することが考えられる。通常搬送を選択すると、精査処理を速やかに完了させることができ、営業への影響を最小限に抑えることができる。また、仮に媒体のリジェクトや、媒体の詰まりが生じたときでも、営業時間内であるため、担当者がリジェクトや詰まりへの対応を、すぐに行うことができる。
【０１１５】
予約部６０７は、操作者が設定した予約内容に従って、予約された日時に、精査処理部６０３に精査処理を実行させる。選択部６０６は、予約内容に従って、第一精査処理部６０４、又は、第二精査処理部６０５を選択する。精査処理部６０３は、予約内容に従って精査処理を適切に行うことができる。
【０１１６】
（２）選択部６０６は、操作者がタッチパネル５０１において操作を行った事項に従って、精査処理部６０３に、第一の精査処理、又は、第二の精査処理を、選択的に実行させる。
【０１１７】
有価媒体処理装置１０は、操作者が手動で精査処理を実行することができる。例えば図１１は、操作者が精査処理の実行を指定した際に、タッチパネル５０１に表示される画面Ｄ２を例示している。
【０１１８】
画面Ｄ２には、通常精査処理の実行を選択するボタンと、低速精査処理の実行を選択するボタンとが設けられている。通常精査処理は、第一の精査処理に相当する。低速精査処理は、第二の精査処理に相当する。操作者が、タッチパネル５０１において、通常精査処理又は低速精査処理を選択する操作を行うことにより、タッチパネル５０１は、選択に対応する信号を出力する。選択部は、タッチパネル５０１からの信号に基づいて、精査処理部６０３に、第一の精査処理、又は、第二の精査処理を、選択的に実行させる。尚、画面Ｄ２にも、画面Ｄ１と同様に、通常精査処理時の所要時間、リジェクト率、ジャム率、低速精査処理の所要時間、リジェクト率、ジャム率の参考情報が、記載されている。画面Ｄ２に記載する所要時間は、精査対象のユニットの在高に基づいて、算出部６０８が算出してもよい。
【０１１９】
（３）選択部６０６は、有価媒体処理装置１０以外の装置からの指示に従って、精査処理部６０３に、第一の精査処理、又は、第二の精査処理を、選択的に実行させる。
【０１２０】
前述したように、操作者は、第一管理コンピュータ１１、第二管理コンピュータ１２、又は、携帯端末（スマートフォン３１又はタブレット端末３２）を操作することによって、有価媒体処理装置１０に処理を実行させることができる。選択部６０６は、通信部５０４が受信した他の装置からの指示に基づいて、精査処理部６０３に、第一の精査処理、又は、第二の精査処理を、選択的に実行させる。尚、第一管理コンピュータ１１、第二管理コンピュータ１２、又は、携帯端末には、前述した画面Ｄ２と同様の画面が表示される。操作者は、第一管理コンピュータ１１、第二管理コンピュータ１２、又は、携帯端末を用いて、通常精査処理と低速精査処理とを選択する。第一管理コンピュータ１１、第二管理コンピュータ１２、スマートフォン３１、及び、タブレット端末３２は、有価媒体処理システム１において、有価媒体処理装置１０に、少なくとも精査処理の実行を指令する信号を出力する指令装置の一例である。
【０１２１】
（４）選択部６０６は、精査処理を実行する時刻に基づいて、精査処理部６０３に、第一の精査処理、又は、第二の精査処理を、選択的に実行させる。
【０１２２】
制御部６００の判定部６０９は、例えば制御部６００のクロックに基づいて、精査処理を実行する時刻を判定する。判定部６０９は、有価媒体処理装置１０が精査処理を開始する時間を判定してもよい。選択部６０６は、判定部６０９が判定した精査処理を開始する時刻に基づいて、当該時刻が店舗の営業時間外である場合には、精査処理部６０３に、第二の精査処理を実行させる。一方、時刻が店舗の営業時間内である場合には、選択部６０６は、精査処理部６０３に、第一の精査処理を実行させる。
【０１２３】
選択部６０６は、有価媒体処理装置１０が精査処理を開始する時間に代えて、操作者が端末ユニット５００において精査処理の実行を操作した時刻、又は、ネットワーク２を通じて精査処理の実行が指示された時刻に基づいて、精査処理部６０３に、第一の精査処理、又は、第二の精査処理を、選択的に実行させてもよい。選択部６０６はまた、精査処理を実行する時間帯（例えば１０：００〜１０：３０といった時間帯）に基づいて、精査処理部６０３に、第一の精査処理、又は、第二の精査処理を、選択的に実行させてもよい。選択部６０６はまた、精査処理の終了予定時刻に基づいて、精査処理部６０３に、第一の精査処理、又は、第二の精査処理を、選択的に実行させてもよい。
【０１２４】
尚、選択部６０６は、前述した（１）〜（４）の全ての事項に基づいて選択を行うのではなく、（１）〜（４）のいずれか一の事項に基づいて選択を行ってもよいし、（１）〜（４）の二つ又は三つの事項に基づいて選択を行ってもよい。
【０１２５】
図９は、図８とは異なる構成の機能ブロックを示している。図９の構成例において、精査処理部６０３は、第一精査処理部６０４及び第二精査処理部６０５を有していない。その代わりに、制御部６００は、速度設定部６１０を有している。
【０１２６】
速度設定部６１０は、精査処理の際の、有価媒体の搬送速度を設定する。速度設定部６１０は、前述した選択部と同様に、（１）〜（４）の事項に基づいて、有価媒体の搬送速度を、第一速度又は第二速度に、選択的に設定する。精査処理部６０３は、速度設定部６１０が設定した搬送速度に従って有価媒体を搬送しかつ計数を行う。精査処理部６０３は、前記と同様に、第一の精査処理、又は、第二の精査処理を、選択的に実行する。
【０１２７】
図１２は、制御部６００が実行するフローチャートを示している。このフローチャートは、有価媒体処理装置１０が実行する処理に関する。スタート後のステップＳ１において、制御部６００は、操作者が、端末ユニット５００のカードリーダ５０３によって認証操作を行ったか否かを判定する。判定がＹＥＳの場合には、プロセスはステップＳ２に進む。判定がＮＯの場合には、プロセスはステップＳ５に進む。
【０１２８】
ステップＳ２において、制御部６００は、操作者がタッチパネル５０１を操作することによって、紙幣処理ユニット１００、硬貨処理ユニット２００，又は、紙葉類処理ユニット３００の精査処理の実行を指定したか否かを判定する。判定がＮＯの場合には、プロセスはステップＳ３に進み、判定がＹＥＳの場合には、プロセスはステップＳ４に進む。ステップＳ３において制御部６００は、操作者の操作に対応する処理を実行する。例えば、紙幣処理ユニット１００、硬貨処理ユニット２００又は紙葉類処理ユニット３００は、入金処理又は出金処理を実行する。
【０１２９】
操作者が精査処理の実行を指定した場合には、前述したように、タッチパネル５０１は、図１１の画面Ｄ２を表示する。操作者は、通常精査処理、又は、低速精査処理を選択する。ステップＳ４において制御部６００は、低速精査処理が要求されたか否か、言い替えると、第二の精査処理が選択されたか否かを判定する。低速精査処理が要求された場合には、プロセスはステップＳ４からステップＳ９に進む。通常精査処理が要求された場合（つまり、第一の精査処理が選択された場合）には、プロセスはステップＳ４からステップＳ８に進む。
【０１３０】
ステップＳ８において制御部６００は、指定されたユニットにおいて、第一の精査処理を実行する。当該ユニットは、有価媒体を第一速度で搬送しかつ計数する。また、ステップＳ９において制御部６００は、指定されたユニットにおいて、第二の精査処理を実行する。当該ユニットは、有価媒体を第二速度で搬送しかつ計数する。尚、図示は省略するが、有価媒体処理装置１０が精査処理を実行しているときに、タッチパネル５０１は、「通常精査」又は「低速精査」を実行している旨を表示してもよい。
【０１３１】
ステップＳ５において制御部６００は、予約された精査処理の実行タイミングが到達したか否かを判定する。判定がＮＯの場合にプロセスはステップＳ６に進み、判定がＹＥＳの場合にプロセスはステップＳ７に進む。
【０１３２】
ステップＳ６おいて制御部６００は、他の装置（第一管理コンピュータ１１、第二管理コンピュータ１２、スマートフォン３１、又は、タブレット端末３２）から、紙幣処理ユニット１００、硬貨処理ユニット２００、又は、紙葉類処理ユニット３００の精査処理の実行が指示されたか否かを判定する。判定がＹＥＳの場合には、ステップＳ４に進む。制御部６００は、ステップＳ４において、他の装置からの指示に基づき、低速精査処理が要求されたか否を判定する。低速精査処理が要求された場合には、プロセスはステップＳ４からステップＳ９に進む。通常精査処理が要求された場合には、プロセスはステップＳ４からステップＳ８に進む。ステップＳ６の判定がＮＯのとき、プロセスはリターンする。
【０１３３】
ステップＳ７において、制御部６００は、予約内容に基づいて、低速搬送が設定されているか否かを判定する。低速搬送が設定されている場合、つまり、第二の精査処理の実行が設定されている場合には、プロセスはステップＳ７からステップＳ９に進む。通常搬送が設定されている場合、つまり、第一の精査処理の実行が設定されている場合には、プロセスはステップＳ７からステップＳ８に進む。
【０１３４】
ステップＳ８において第一の精査処理を行った後、又は、ステップＳ９において第二の精査処理を行った後、制御部６００は、ステップＳ１０において、実行した処理に関するログを記憶部５０２に記憶させる。記憶部５０２は、記憶するログデータに「通常精査処理」又は「低速精査処理」の情報を含めてもよい。制御部６００はまた、プリンタ４００にレシートを印字させる。プリンタ４００は、精査処理に係るレシートに「通常精査処理」又は「低速精査処理」の文字を印字してもよい。
【０１３５】
そして、続くステップＳ１１において制御部６００は、第一管理コンピュータ１１、及び／又は、第二管理コンピュータ１２に、実行した処理の結果を送信する。尚、処理結果を送信せずに、記憶部５０２に記憶しておき、第一管理コンピュータ１１、及び／又は、第二管理コンピュータ１２からの要求があった場合に、制御部６００は、記憶していた処理結果を、第一管理コンピュータ１１、及び／又は、第二管理コンピュータ１２に、通信部５０４を通じて送信するようにしてもよい。
【０１３６】
精査処理を実行する際の有価媒体の搬送速度が、二種類の速度に切り替えられるため、有価媒体処理装置１０は、精査処理を適切に実行することができる。特に、店舗の営業時間外において精査処理を行う際に有価媒体の搬送速度を遅くすると、リジェクト媒体の発生、及び、媒体の詰まりの発生を抑制することができる。有価媒体処理装置１０は、エラーで停止することなく、精査処理を完了させることができる。有価媒体処理装置１０が、精査処理の途中で停止することによって店舗の営業に影響を及ぶことが抑制される。また、店舗の業務の効率化を図ることができる。
【０１３７】
また、有価媒体の搬送速度を遅くすると、詰まりが生じ難くなるという作用効果の他に、詰まりが生じたときでも詰まり度合いが緩くなるため、担当者が有価媒体の詰まりを解消させることが容易になるという利点がある。
【０１３８】
尚、店舗の営業時間外に無人で精査処理を行っているときに有価媒体の詰まりが発生して、精査処理が中断した場合は、当該精査処理が第一の精査処理であるか、第二の精査処理であるかに関わらず、次の営業開始前に、担当者（例えば早出の担当者や、メンテナンス担当者）が、媒体の詰まりを解消すると共に、中断していた精査処理を再開させる。営業時間外に無人で精査処理を行っているときにリジェクト媒体が発生していた場合も、次の営業開始前に、担当者がリジェクト媒体に対する対応を行う。
【０１３９】
尚、営業時間外に無人で精査処理を行っているときに、媒体の詰まりが発生して精査処理が中断した場合や、リジェクト媒体が発生した場合に、有価媒体処理装置１０は、担当者が所持している携帯端末に、第一管理コンピュータ１１又は第二管理コンピュータ１２を通じて通知を行ってもよい。通知を受けた担当者は、次の営業開始前に、早めに出勤をすることによって、ゆとりを持って、詰まりを解消させたり、リジェクト媒体の対応をしたりすることが可能になる。尚、有価媒体処理装置１０は、第一管理コンピュータ１１及び第二管理コンピュータ１２を介さずに、担当者が所持している携帯端末に通知を行ってもよい。
【０１４０】
前記の構成の有価媒体処理装置１０は、紙幣処理ユニット１００、硬貨処理ユニット２００、及び、紙葉類処理ユニット３００の精査処理の全てについて、第一の精査処理と、第二の精査処理との二種類の精査処理が可能である。尚、帯封紙幣の精査処理及び包装硬貨の精査処理は、搬送速度を速くしても搬送速度を遅くしても、媒体の詰まりの発生率は変わらないため、第一の精査処理のみが可能であってもよい。有価媒体処理装置１０は、一部の精査処理について、第一の精査処理と、第二の精査処理との二種類の精査処理が可能に構成してもよい。
【０１４１】
また、硬貨処理ユニット２００は、精査処理時に、精査対象のバラ硬貨を機外に一旦出す際の搬送速度、及び、操作者が投入部２０２に再投入したバラ硬貨を搬送する際の搬送速度を、第一の精査処理と第二の精査処理とで変えるが、硬貨処理ユニット２００は、第一の精査処理のみを実行する構成にしてもよい。
【０１４２】
尚、硬貨処理ユニット２００は、バラ硬貨の精査処理時に、バラ硬貨収納部２０６から繰り出した硬貨を、機内において、投入部２０２にまで搬送可能に構成してもよい。
【０１４３】
また、前述した有価媒体処理システム１は、第一管理コンピュータ１１、第二管理コンピュータ１２、スマートフォン３１、又は、タブレット端末３２から、紙幣処理ユニット１００、硬貨処理ユニット２００、又は、紙葉類処理ユニット３００の精査処理の実行を指示することができる。ここで、制御部６００は、第二管理コンピュータ１２、スマートフォン３１、又はタブレット端末３２から精査処理の指示を受けた場合のみ、第二の精査処理を実行可能としてもよい。一方、第一管理コンピュータ１１から精査処理の指示を受けた場合、制御部６００は、第二の精査処理を実行不可にしてもよい。つまり、制御部６００は、有価媒体処理装置１０に対して遠隔で指示を受けた場合のみ、第二の精査処理の実行を許可してもよい。
【０１４４】
有価媒体処理装置１０は、第二の精査処理の実行の際に、媒体の搬送経路の全体において有価媒体を第二速度（つまり、低速）で搬送しているが、搬送経路における少なくとも一部において、有価媒体を低速で搬送してもよい。
【０１４５】
つまり、有価媒体処理装置１０は、搬送経路の全体において有価媒体を所定の速度で搬送しかつ計数する精査処理（第三の精査処理）と、搬送経路における少なくとも一部において、有価媒体を低速で搬送しかつ計数する精査処理（第四の精査処理）とを実行するとしてもよい。
【０１４６】
例えば、紙幣処理ユニット１００がバラ紙幣を対象とした第四の精査処理を実行する際に、精査処理部６０３は、バラ紙幣収納部１０８から紙幣一時保留部１０７への往路の搬送速度を相対的に低速にし、紙幣一時保留部１０７からバラ紙幣収納部１０８への復路の搬送速度を相対的に高速にしてもよい。識別部１０６は、往路においてバラ紙幣の識別を行ってもよい。尚、前記とは逆に、紙幣処理ユニット１００がバラ紙幣を対象とした第四の精査処理を実行する際に、精査処理部６０３は、バラ紙幣収納部１０８から紙幣一時保留部１０７への往路の搬送速度を相対的に高速にし、紙幣一時保留部１０７からバラ紙幣収納部１０８への復路の搬送速度を相対的に低速にしてもよい。識別部１０６は、復路においてバラ紙幣の識別を行ってもよい。
【０１４７】
また、第四の精査処理を実行する際に、精査処理部６０３は、紙幣処理ユニット１００のバラ紙幣の搬送経路においてバラ紙幣の詰まりが生じやすい箇所、例えば、バラ紙幣の搬送方向を分岐させる箇所や、バラ紙幣の搬送経路が曲がっている箇所等を通過するときのバラ紙幣の搬送速度を相対的に低速にしてもよい。また、第四の精査処理を実行する際に、精査処理部６０３は、例えば識別部１０６付近を通過するときのバラ紙幣の搬送速度を相対的に低速にしてもよい。
【０１４８】
こうした第四の精査処理に対し、紙幣処理ユニット１００がバラ紙幣を対象とした第三の精査処理を実行する際に、精査処理部６０３は、バラ紙幣収納部１０８から紙幣一時保留部１０７への往路の搬送速度、及び、紙幣一時保留部１０７からバラ紙幣収納部１０８への復路の搬送速度を、高速で一定にしてもよい。
【０１４９】
従って、有価媒体処理装置は、次のように構成してもよい。
有価媒体処理装置は、
有価媒体を収納する収納部と、
前記収納部に収納している有価媒体を計数する精査処理を実行する精査処理部と、を備え、
前記精査処理部は、第三精査処理部と、第四精査処理部と、を含み、
前記第三精査処理部が、精査処理時に、前記収納部から繰り出した前記有価媒体を搬送する最も遅い速度は、第三速度であり、
前記第四精査処理部が、精査処理時に、前記収納部から繰り出した前記有価媒体を搬送する最も遅い速度は、第四速度であり、
前記第四速度は、前記第三速度よりも遅い。
【０１５０】
尚、第三精査処理部は、有価媒体を搬送する速度を可変にしてもよい。また、第三精査処理部は、有価媒体を一定の速度で搬送してもよい。前記第四精査処理部も、有価媒体を搬送する速度を可変にしてもよいし、一定の速度で有価媒体を搬送してもよい。
【０１５１】
尚、この構成の有価媒体処理装置は、前記で説明をした有価媒体処理装置１０に適用することが可能である。例えば図８の「第一精査処理部」は、「第三精査処理部」に書き替えてもよい。また、「第二精査処理部」は、「第四精査処理部」に書き替えてもよい。
【０１５２】
また、前述した有価媒体処理装置１０は、有価媒体の搬送速度を、入金処理及び／又は出金処理を行う際の搬送速度と同じ搬送速度で精査処理を行うことが可能（つまり、第一の精査処理を実行可能）である。有価媒体処理装置１０は、精査処理として、第一の精査処理の実行を省略し、第二の精査処理のみを実行可能に構成してもよい。
【０１５３】
つまり、有価媒体処理装置は、次のように構成してもよい。
有価媒体処理装置は、
有価媒体を収納する収納部と、
前記有価媒体を機内に入れかつ前記収納部に収納する入金処理、及び、前記有価媒体を前記収納部から繰り出しかつ機外に出す出金処理の少なくとも一方を実行する第一処理部と、
前記収納部に収納している有価媒体を計数する精査処理を実行する第二処理部と、を備え、
前記第一処理部は、前記有価媒体を非精査速度で搬送し、前記第二処理部は、前記収納部から繰り出した前記有価媒体を、前記非精査速度よりも遅い精査速度で搬送する。
【０１５４】
尚、この構成の有価媒体処理装置は、前記で説明をした有価媒体処理装置１０に適用することが可能である。
【０１５５】
ここに開示する技術は、前述した構成の有価媒体処理装置１０に適用することに限らない。ここに開示する技術は、様々な構成の有価媒体処理装置に適用することが可能である。
【符号の説明】
【０１５６】
１０  有価媒体処理装置
１０８  バラ紙幣収納部
１１４  帯封紙幣収納部
１１  第一管理コンピュータ（他の装置、指令装置）
１２  第二管理コンピュータ（他の装置、指令装置）
２０６  バラ硬貨収納部
２１３  包装硬貨収納部
３０７  特定有価証券収納部
３０８  損券収納部
３１１  新券収納部
３１  スマートフォン（他の装置、指令装置）
３２  タブレット端末（他の装置、指令装置）
５０１  タッチパネル（報知部、操作部）
５０４  通信部
６０１  入金処理部
６０２  出金処理部
６０３  精査処理部
６０４  第一精査処理部
６０５  第二精査処理部
６０６  選択部
６０７  予約部
６０８  算出部
６０９  判定部
６１０  速度設定部
【図１】
2020085156.tif 000003
【図２】
2020085156.tif 000004
【図３】
2020085156.tif 000005
【図４】
2020085156.tif 000006
【図５】
2020085156.tif 000007
【図６】
2020085156.tif 000008
【図７】
2020085156.tif 000009
【図８】
2020085156.tif 000010
【図９】
2020085156.tif 000011
【図１０】
2020085156.tif 000012
【図１１】
2020085156.tif 000013
【図１２】
2020085156.tif 000014
【国際調査報告】
2020085156.tif 000015
2020085156.tif 000016
2020085156.tif 000017
2020085156.tif 000018